(57)【要約】  リモートのインターネットプロトコル対応型装置の識別情報を確認することと、確認された識別情報に基づいてリモートのインターネットプロトコル対応型装置に対するデータストリームの速度を管理することと、広帯域ネットワークを使用してリモートのインターネットプロトコル対応型装置にデータストリームを送信することとを備える、電話会社のネットワークを使用してプレイスシフトを可能にすることによってインターネットプロトコルテレビジョンにリモートアクセスするためのシステム、方法、およびコンピュータ可読メディア。
2010512119.tif 000002
【特許請求の範囲】
【請求項１】
電話会社のネットワークを使用してプレイスシフトを可能にすることによってインターネットプロトコルテレビジョンにリモートアクセスするための方法であって、
リモートのインターネットプロトコル対応型装置の識別情報を確認することと、
確認された識別情報に基づいてリモートのインターネットプロトコル対応型装置に対するデータストリームの速度を管理することと、
広帯域ネットワークを使用してリモートのインターネットプロトコル対応型装置にデータストリームを送信することと
を備える、方法。
【請求項２】
インターネットプロトコル対応型装置の最適の解像度を感知すること
を備える、請求項１に記載の方法。
【請求項３】
速度が感知された最適の解像度により管理される、請求項２に記載の方法。
【請求項４】
感知された最適の解像度を広帯域ネットワークに送信すること
を備える、請求項２に記載の方法。
【請求項５】
リモートのインターネットプロトコル対応型装置内でデータストリームをバッファリングすること
を備える、請求項１に記載の方法。
【請求項６】
リモートのインターネットプロトコル対応型装置の識別情報の確認がデジタル著作権管理プロトコルを使用する、請求項１に記載の方法。
【請求項７】
リモートのインターネットプロトコル対応型装置の識別情報の確認が広帯域ネットワークによって行われる、請求項１に記載の方法。
【請求項８】
リモートのインターネットプロトコル対応型装置から広帯域ネットワークに検証照会を送信すること
を備える、請求項１に記載の方法。
【請求項９】
広帯域ネットワークにリモートのインターネットプロトコル対応型装置の１組のユーザ設定を送信すること
を備える、請求項１に記載の方法。
【請求項１０】
リモートのインターネットプロトコル対応型装置内に１組のユーザ設定を格納すること
を備える、請求項１に記載の方法。
【請求項１１】
リモートのインターネットプロトコル対応型装置からの検証照会をセットトップボックスで受信すること、
リモートのインターネットプロトコル対応型装置の識別情報を確認すること、
確認された識別情報に基づいてリモートのインターネットプロトコル対応型装置に対するデータストリームの速度を管理すること、および
広帯域ネットワークを使用してセットトップボックスからリモートのインターネットプロトコル対応型装置にデータストリームを送信すること
のための命令を備える、コンピュータ可読メディア。
【請求項１２】
リモートのインターネットプロトコル対応型装置内でデータストリームをバッファリングすること
のための命令を備える、請求項１に記載の方法。
【請求項１３】
セットトップボックスからリモートのインターネットプロトコル対応型装置に１組のユーザ設定を送信すること
のための命令を備える、請求項１１に記載のコンピュータ可読メディア。
【請求項１４】
セットトップボックスから広帯域ネットワークに１組のユーザ設定を送信すること
のための命令を備える、請求項１１に記載のコンピュータ可読メディア。
【請求項１５】
リモートのインターネットプロトコル対応型装置内に１組のユーザ設定を格納すること
のための命令を備える、請求項１１に記載のコンピュータ可読メディア。
【請求項１６】
広帯域ネットワーク内に１組のユーザ設定を格納すること
のための命令を備える、請求項１１に記載のコンピュータ可読メディア。
【請求項１７】
電話会社のネットワークを使用してプレイスシフトを可能にすることによってインターネットプロトコルテレビジョンにリモートアクセスするためのシステムであって、
データストリームを受信するメモリと、
メモリに通信可能に接続されたプロセッサと
を備え、プロセッサが、
リモートのインターネットプロトコル対応型装置からセットトップボックスに検証照会を送信し、
広帯域ネットワークを使用してセットトップボックスからのデータストリームをリモートのインターネットプロトコル対応型装置で受信し、
検証照会に基づいてリモートのインターネットプロトコル対応型装置に対するデータストリームの速度を管理し、
リモートのインターネットプロトコル対応型装置内でデータストリームをバッファリングする、システム。
【請求項１８】
プロセッサが、セットトップボックスからの１組のユーザ設定をリモートのインターネットプロトコル対応型装置で受信する、請求項１７に記載のシステム。
【請求項１９】
プロセッサが、リモートのインターネットプロトコル対応型装置内に１組のユーザ設定を格納する、請求項１７に記載のシステム。
【請求項２０】
広帯域ネットワークが電話会社のネットワークである、請求項１７に記載のシステム。
【発明の詳細な説明】
【技術分野】
【０００１】
本発明は、概してインターネットプロトコルテレビジョン（ＩＰＴＶ）の配信に関し、より具体的には、電話会社のネットワークを使用してプレイスシフトを可能にすることによるインターネットプロトコルテレビジョンへのリモートアクセスに関する。
【背景技術】
【０００２】
現在、加入者は、加入者の自宅で加入されているインターネットプロトコルテレビジョン（ＩＰＴＶ）サービスに、加入者の自宅外のホテルの部屋または公共の場でのブロードバンドロケーションからリモートでアクセスすることができる。このプレイスシフトまたはどこでも視聴できるＴＶという概念は、今日利用できるビデオカセットレコーダ（ＶＣＲ）、またはデジタルビデオレコーダ（ＤＶＲ）ボックスによって提供されるタイムシフト機能に類似している。しかし、信号の画質は帯域幅の制限により不十分である。
【０００３】
現在、装置は、加入者がインターネット接続のラップトップまたはパーソナルコンピュータ（ＰＣ）を使用することによって遠隔地から加入者の居間のテレビジョンの番組を見ることを可能にすることができる。これらの装置は、加入者のケーブルボックス、衛星受信機、またはＤＶＲからインターネットを介してＰＣにテレビジョン信号をプレイスシフトする。加入者がどこへ行こうとも不十分な画質のテレビジョンがついて行くことになる。既存の解決策によって提供される画質は、既存の解決策に関するアップストリームチャネルおよび符号器の帯域幅が典型的には２５６Ｋｂｐｓに限定されるので不十分である。
【発明の概要】
【発明が解決しようとする課題】
【０００４】
したがって、必要とされることは、電話会社のネットワークを使用して顧客に高品質のＩＰＴＶ信号をプレイスシフトすることを可能にするための方法、コンピュータ可読メディアおよびシステムである。
【課題を解決するための手段】
【０００５】
本発明は、リモートのＰＣまたはラップトップに高品質の信号を送信するために電話網を使用する。リモートのＰＣ内のデジタル著作権管理（ＤＲＭ）システムは、コンテンツがリモートのＰＣに送信されるまたはリモートのＰＣ上で再生されることができる前にリモートのＰＣの識別情報を確認するためにネットワークおよび自宅のセットトップボックスと通信することになる。
【０００６】
ビデオストリームは、広帯域ネットワーク内で接続されたリモートのＰＣの識別情報を確認した後にリモートのＰＣに送信されることになる。ビデオオンデマンド（ＶＯＤ）の映画の場合、システムは、システムをよりロバストにし、伝送問題に対してより影響を受けにくくするためにリモートのＰＣ内で映画の一部をバッファリングする能力を有することになる。ラップトップは、応答時間およびビデオ容量限定のリモートのビデオプレーヤまたはラップトップで利用できるプログラムの種類を向上するためにネットワークＰＶＲ装置にリンクされることができる様々な映画およびプログラムの短いセグメントを格納することによって分散型のネットワークパーソナルビデオレコーダ（ＰＶＲ）として働くこともできる。
【０００７】
遠隔地でビデオのより高画質を受信することは、電話網がより高品質のビデオ信号をリモートのＰＣに送信できることによって実現できる。数Ｍｂｐｓの伝送帯域幅は、Ｍｂｐｓ帯域幅のごく一部分および現在のシステムで利用できる低品質と比較して実現できる。通常の対象となるプログラムの短いセグメントを局部的に格納すると、リモートの装置での応答時間とプログラムの種類および選択とを共に向上することができる。
【０００８】
本発明の１つの実施形態では、リモートのインターネットプロトコル対応型装置の識別情報を確認することと、確認された識別情報に基づいてリモートのインターネットプロトコル対応型装置に対するデータストリームの速度を管理することと、広帯域ネットワークを使用してリモートのインターネットプロトコル対応型装置にデータストリームを送信することとを備える、電話会社のネットワークを使用してプレイスシフトを可能にすることによってインターネットプロトコルテレビジョンにリモートアクセスするための方法。この方法は、インターネットプロトコル対応型装置の最適の解像度を感知すること（ここで、速度は感知された最適の解像度により管理される）と、感知された最適の解像度を広帯域ネットワークに送信することと、リモートのインターネットプロトコル対応型装置内でデータストリームをバッファリングすることとを備えることもできる。リモートのインターネットプロトコル対応型装置の識別情報の確認は、デジタル著作権管理プロトコルを使用し、リモートのインターネットプロトコル対応型装置の識別情報の確認は、広帯域ネットワークによって行われる。この方法は、リモートのインターネットプロトコル対応型装置から広帯域ネットワークに検証照会を送信することと、広帯域ネットワークにリモートのインターネットプロトコル対応型装置の１組のユーザ設定を送信することと、リモートのインターネットプロトコル対応型装置内に１組のユーザ設定を格納することとをさらに備えることができる。
【０００９】
本発明のさらなる１つの実施形態では、コンピュータ可読メディアが、リモートのインターネットプロトコル対応型装置からの検証照会をセットトップボックスで受信すること、リモートのインターネットプロトコル対応型装置の識別情報を確認すること、確認された識別情報に基づいてリモートのインターネットプロトコル対応型装置に対するデータストリームの速度を管理すること、および広帯域ネットワークを使用してセットトップボックスからリモートのインターネットプロトコル対応型装置にデータストリームを送信することのための命令を備える。このコンピュータ可読メディアは、リモートのインターネットプロトコル対応型装置内でデータストリームをバッファリングすること、セットトップボックスからリモートのインターネットプロトコル対応型装置に１組のユーザ設定を送信すること、セットトップボックスから広帯域ネットワークに１組のユーザ設定を送信すること、リモートのインターネットプロトコル対応型装置内に１組のユーザ設定を格納すること、および広帯域ネットワーク内に１組のユーザ設定を格納することのための命令を備えることができる。
【００１０】
さらなる１つの実施形態では、電話会社のネットワークを使用してプレイスシフトを可能にすることによってインターネットプロトコルテレビジョンにリモートアクセスするためのシステムが、データストリームを受信するメモリと、メモリと通信可能に接続されたプロセッサとを備え、プロセッサは、リモートのインターネットプロトコル対応型装置からセットトップボックスに検証照会を送信し、広帯域ネットワークを使用してセットトップボックスからのデータストリームをリモートのインターネットプロトコル対応型装置で受信し、検証照会に基づいてリモートのインターネットプロトコル対応型装置に対するデータストリームの速度を管理し、リモートのインターネットプロトコル対応型装置内でデータストリームをバッファリングする。システムプロセッサは、セットトップボックスからの１組のユーザ設定をリモートのインターネットプロトコル対応型装置で受信し、リモートのインターネットプロトコル対応型装置内に１組のユーザ設定を格納することができ、広帯域ネットワークは電話会社のネットワークである。
【図面の簡単な説明】
【００１１】
【図１】その一部として本発明の１つの実施形態を含むインテリジェントＩＰＴＶプログラム交換の第１のシステムを示す図である。
【図２】本発明の１つの実施形態の動作方法の方法ステップを記載する第１の方法の流れ図である。
【図３】本発明の１つの実施形態の動作方法の方法ステップを記載する第２の方法の流れ図である。
【図４】本発明の１つの実施形態によるインターネットプロトコルテレビジョンへのリモートアクセスの第１のソフトウェアの流れ図である。
【図５】本発明の１つの実施形態によるインターネットプロトコルテレビジョンへのリモートアクセスの第２のソフトウェアの流れ図である。
【図６】本発明の１つの実施形態による電話会社のネットワークを使用してプレイスシフトを可能にすることによるインターネットプロトコルテレビジョンへのリモートアクセスの第１のシステムを示す図である。
【図７】本発明の１つの実施形態による電話会社のネットワークを使用してプレイスシフトを可能にすることによるインターネットプロトコルテレビジョンへのリモートアクセスの第２のシステムを示す図である。
【発明を実施するための形態】
【００１２】
ここで図１を参照すると、電話会社のネットワークを使用してプレイスシフトを可能にすることによるインターネットプロトコルテレビジョンへのリモートアクセスの第１のシステム１１０が示され、ソフトウェア、ハードウェア、もしくはファームウェア、ならびに／またはソフトウェア、ハードウェア、および／もしくはファームウェアの組合せである複数のブロックまたはモジュールを備える。キャリアネットワーク１１２は、アクセスノード１１６を有して速度管理を備えるＩＰＴＶリモートアクセスアプリケーション１１４に通信可能に接続されている。アクセスノードはレジデンシャルゲートウェイ（ＲＧ）１１８に通信可能に接続され、次にレジデンシャルゲートウェイ（ＲＧ）１１８はセットトップボックス（ＳＴＢ）１２０に通信可能に接続されている。セットトップボックスは、ＤＶＤプレーヤ１２２およびテレビジョン（ＴＶ）１２４に接続されている。アクセスノードは他のレジデンシャルゲートウェイ１２６に通信可能に接続されることができ、他のレジデンシャルゲートウェイ１２６はセットトップボックス（ＳＴＢ）１２８に接続され、次にセットトップボックス（ＳＴＢ）１２８は他のＴＶ１３０に接続されている。アクセスノードは、ネットワークパーソナルビデオレコーダ（ＰＶＲ）１３２にさらに接続されることができる。アクセスノードは、デジタル著作権管理（ＤＲＭ）サーバ１３４から合法的デジタル著作権に関する情報を集める。アクセスノードは、放送サービスおよびビデオオンデマンドサービスを提供するＩＰＴＶビデオサーバ１３６に接続されることもできる。キャリアネットワークは、ラップトップもしくはリモートコンピュータ１３８または無線コンピュータ装置１４０などのリモートビューアをさらに提供することができる。
【００１３】
次に図２を参照すると、電話会社のネットワークを使用してプレイスシフトを可能にすることによるインターネットプロトコルテレビジョンへのリモートアクセスの第１の方法２１０が示され、ソフトウェア、ハードウェア、もしくはファームウェア、ならびに／またはソフトウェア、ハードウェア、および／もしくはファームウェアの組合せである複数のブロックまたはモジュールを備える。その方法は、リモートのインターネットプロトコル対応型装置の識別情報を確認すること（２１２）と、確認された識別情報に基づいてリモートのインターネットプロトコル対応型装置に対するデータストリームの速度を管理すること（２１４）と、広帯域ネットワークを使用してリモートのインターネットプロトコル対応型装置にデータストリームを送信すること（２１６）とを備える。モジュール間の情報の転送は以下のうちの少なくとも１つを介して生じる：無線プロトコル、有線プロトコルならびに無線プロトコルおよび有線プロトコルの組合せ。
【００１４】
次に図３を参照すると、電話会社のネットワークを使用してプレイスシフトを可能にすることによるインターネットプロトコルテレビジョンへのリモートアクセスの第２の方法３１０が示され、ソフトウェア、ハードウェア、もしくはファームウェア、ならびに／またはソフトウェア、ハードウェア、および／もしくはファームウェアの組合せである複数のブロックまたはモジュールを備える。その方法は、リモートのインターネットプロトコル対応型装置の識別情報を確認すること（３１２）と、確認された識別情報に基づいてリモートのインターネットプロトコル対応型装置に対するデータストリームの速度を管理すること（３１４）と、広帯域ネットワークを使用してリモートのインターネットプロトコル対応型装置にデータストリームを送信すること（３１６）とを備える。その方法は、インターネットプロトコル対応型装置の最適の解像度を感知すること（３１８）（ここで、速度は感知された最適の解像度により管理される）と、感知された最適の解像度を広帯域ネットワークに送信すること（３２０）と、リモートのインターネットプロトコル対応型装置内でデータストリームをバッファリングすること（３２２）とを備えることもできる。ここで、リモートのインターネットプロトコル対応型装置の識別情報の確認はデジタル著作権管理プロトコルを使用し、ここで、リモートのインターネットプロトコル対応型装置の識別情報の確認は広帯域ネットワークによって行われる。その方法は、リモートのインターネットプロトコル対応型装置から広帯域ネットワークに検証照会を送信すること（３２４）と、広帯域ネットワークにリモートのインターネットプロトコル対応型装置の１組のユーザ設定を送信すること（３２６）と、リモートのインターネットプロトコル対応型装置内に１組のユーザ設定を格納すること（３２８）とをさらに備えることができる。モジュール間の情報の転送は以下のうちの少なくとも１つを介して生じる：無線プロトコル、有線プロトコルならびに無線プロトコルおよび有線プロトコルの組合せ。
【００１５】
次に図４を参照すると、電話会社のネットワークを使用してプレイスシフトを可能にすることによるインターネットプロトコルテレビジョンへのリモートアクセスの第１のソフトウェアの流れブロック４１０が示されている。コンピュータ可読メディアは、リモートのインターネットプロトコル対応型装置からの検証照会をセットトップボックスで受信すること（４１２）と、リモートのインターネットプロトコル対応型装置の識別情報を確認すること（４１４）と、確認された識別情報に基づいてリモートのインターネットプロトコル対応型装置に対するデータストリームの速度を管理すること（４１６）と、広帯域ネットワークを使用してセットトップボックスからリモートのインターネットプロトコル対応型装置にデータストリームを送信すること（４１８）とのための命令を備える。リポジトリとモニタの間の情報の転送は、無線プロトコル、有線プロトコルならびに無線プロトコルおよび有線プロトコルの組合せのうちの少なくとも１つを介して生じる。
【００１６】
次に図５を参照すると、電話会社のネットワークを使用してプレイスシフトを可能にすることによるインターネットプロトコルテレビジョンへのリモートアクセスの第２のソフトウェアの流れブロック５１０が示されている。コンピュータ可読メディアは、リモートのインターネットプロトコル対応型装置からの検証照会をセットトップボックスで受信すること（５１２）と、リモートのインターネットプロトコル対応型装置の識別情報を確認すること（５１４）と、確認された識別情報に基づいてリモートのインターネットプロトコル対応型装置に対するデータストリームの速度を管理すること（５１６）と、広帯域ネットワークを使用してセットトップボックスからリモートのインターネットプロトコル対応型装置にデータストリームを送信すること（５１８）とのための命令を備える。そのコンピュータ可読メディアは、リモートのインターネットプロトコル対応型装置内でデータストリームをバッファリングすること（５２０）と、セットトップボックスからリモートのインターネットプロトコル対応型装置に１組のユーザ設定を送信すること（５２２）と、セットトップボックスから広帯域ネットワークに１組のユーザ設定を送信すること（５２４）と、リモートのインターネットプロトコル対応型装置内に１組のユーザ設定を格納すること（５２６）と、広帯域ネットワーク内に１組のユーザ設定を格納すること（５２８）とのための命令を備えることができる。この方法は、コンピュータ可読メディアまたはソフトウェアで具現化されることが好ましいが、ファームウェアで具現化されてもよく、ハードウェアを介して使用される。リポジトリとモニタの間の情報の転送は、無線プロトコル、有線プロトコルならびに無線プロトコルおよび有線プロトコルの組合せのうちの少なくとも１つを介して生じる。
【００１７】
次に図６を参照すると、電話会社のネットワークを使用してプレイスシフトを可能にすることによるインターネットプロトコルテレビジョンへのリモートアクセスの第１のシステム６１０が示されている。そのシステムは、データストリームを受信する（６１４）メモリ６１２と、メモリに通信可能に接続された（６１８）プロセッサ６１６とを備え、ここでプロセッサは、リモートのインターネットプロトコル対応型装置からセットトップボックスに検証照会を送信し（６２０）、広帯域ネットワークを使用してセットトップボックスからのデータストリームをリモートのインターネットプロトコル対応型装置で受信し（６２２）、検証照会に基づいてリモートのインターネットプロトコル対応型装置に対するデータストリームの速度を管理し（６２４）、リモートのインターネットプロトコル対応型装置内でデータストリームをバッファリングする（６２６）。プロセッサとメモリの間の情報の転送は、無線プロトコル、有線プロトコルならびに無線プロトコルおよび有線プロトコルの組合せのうちの少なくとも１つを介して生じる。この図で実行されるステップは、ソフトウェア、ハードウェア、ファームウェア、ならびに／またはソフトウェア、ハードウェア、および／もしくはファームウェアの組合せによって行われる。
【００１８】
次に図７を参照すると、電話会社のネットワークを使用してプレイスシフトを可能にすることによるインターネットプロトコルテレビジョンへのリモートアクセスの第２のシステム７１０が示されている。そのシステムは、データストリームを受信する（７１４）メモリ７１２と、メモリに通信可能に接続された（７１８）プロセッサ７１６とを備え、ここでプロセッサは、リモートのインターネットプロトコル対応型装置からセットトップボックスに検証照会を送信し（７２０）、広帯域ネットワークを使用してセットトップボックスからのデータストリームをリモートのインターネットプロトコル対応型装置で受信し（７２２）、検証照会に基づいてリモートのインターネットプロトコル対応型装置に対するデータストリームの速度を管理し（７２４）、リモートのインターネットプロトコル対応型装置内でデータストリームをバッファリングする（７２６）。システムプロセッサは、セットトップボックスからの１組のユーザ設定をリモートのインターネットプロトコル対応型装置で受信し（７２８）、リモートのインターネットプロトコル対応型装置内に１組のユーザ設定を格納する（７３０）ことができ、ここで、広帯域ネットワークは電話会社のネットワークである。プロセッサとメモリの間の情報の転送は、無線プロトコル、有線プロトコルならびに無線プロトコルおよび有線プロトコルの組合せのうちの少なくとも１つを介して生じる。この図で実行されるステップは、ソフトウェア、ハードウェア、ファームウェア、ならびに／またはソフトウェア、ハードウェア、および／もしくはファームウェアの組合せによって行われる。
【００１９】
本発明のシステムの１つの例示の実施形態が添付図面に示され、前述の詳細な説明で説明されているが、本発明は、開示された実施形態に限定されるのではなく、下記の「特許請求の範囲」によって記載され定義された本発明の精神から逸脱することなく多くの再編成、変更、および代替が可能であることが理解されよう。例えば、本発明の機能は、プロセッサもしくはメモリのうちの１つまたは複数によって完全におよび／または部分的に実行されることができる。またこれらの機能は、現在の方法でまたは分散された方法でならびに情報を提供するおよび／もしくは受信することができる任意の装置上でまたは任意の装置を介して実行されることができる。さらに、特定の方法で示されているが、様々なモジュールまたはブロックが本発明の範囲を逸脱することなく再配置されることができる。さらに、特定の方法で示されているが、より大きいまたはより小さい数のモジュールおよび接続が、本発明を実現する、本発明にさらなる知られている機能を与える、および／または本発明をより効率的にするために本発明と共に使用されることができる。また、様々なモジュール間で送信される情報は、データ網、インターネット、インターネットプロトコルネットワーク、無線ソース、および有線ソースのうちの少なくとも１つを介してならびに複数のプロトコルを介してモジュール間で送信されることができる。
【図１】
2010512119.tif 000003
【図２】
2010512119.tif 000004
【図３】
2010512119.tif 000005
【図４】
2010512119.tif 000006
【図５】
2010512119.tif 000007
【図６】
2010512119.tif 000008
【図７】
2010512119.tif 000009
【国際調査報告】
2010512119.tif 000010
2010512119.tif 000011